(57)【要約】【課題】出入口の口縁の掃除をしやすくする。【解決手段】扉１５の裏面におけるヒンジピン１８側の角の部分に、Ｃ面からなる逃がし面２５が形成される。（Ａ）に示す閉扉状態において、出入口１４の口縁１４Ａとの間の間口が広げられた状態となり、口縁１４Ａの奥まで指先等が入れやすくなって掃除が簡単にできる。（Ｂ）に示す扉１５の開閉操作中も、逃がし面２５と出入口１４の口縁１４Ａとの間隔が大きく取れ、指を挟むおそれがない。閉扉状態における扉１５のヒンジピン１８側では、（Ａ）の矢線方向（または反対方向）のように、逃がし面２５に沿うようにして外気が出入口１４の口縁１４Ａの奥にまで流通する。この口縁１４Ａの奥の部分は、庫内冷気の影響を受けて冷却されやすいが、外気が当たって熱交換されることで温度上昇が図られ、表面に結露が生じることが防止される。【選択図】  図３
2004309035.tif 000002
【特許請求の範囲】
【請求項１】
貯蔵庫本体に開口された出入口の一側縁には、この出入口を開閉する扉が回動可能に支持された貯蔵庫において、
前記扉の裏面における前記回動軸側の角の部分には、逃がし面が切り欠き形成されていることを特徴とする貯蔵庫。
【請求項２】
前記貯蔵庫本体の内部が冷凍装置により冷却可能となっていることを特徴とする請求項１記載の貯蔵庫。
【請求項３】
前記扉の逃がし面と前記出入口の口縁との間に形成された隙間には、進入規制部材が配されていることを特徴とする請求項１または請求項２記載の貯蔵庫。
【請求項４】
前記進入規制部材が着脱可能となっていることを特徴とする請求項３記載の貯蔵庫
【請求項５】
前記扉は、前記出入口の前記一側縁の長さ方向の両端に設けられたヒンジにより回動可能に支持されており、前記進入規制部材は、前記両ヒンジの間に渡されて設けられていることを特徴とする請求項３または請求項４記載の貯蔵庫。
【発明の詳細な説明】
【０００１】
【発明の属する技術分野】
本発明は、冷蔵庫等の貯蔵庫における扉装置の改良に関する。
【０００２】
【従来の技術】
例えば、学校の給食に供される牛乳を保管するための冷蔵庫には、保管物の重量が大きく、また取り扱う人も主に小学生であることから、背の低い、いわゆる横型冷蔵庫が使用される（例えば、特許文献１参照）。
これは、図７及び図８に示すように、前面に開口した横長の断熱箱体からなる冷蔵庫本体１の側方に、冷凍装置等を収容した機械室２が設けられ、本体１内が冷蔵室となって容器入り牛乳が収容可能とされるとともに、前面の出入口３に観音開き式の断熱扉４が装着された構造となっている。
【０００３】
【特許文献１】
実開昭６３−１３９４８７号公報
【０００４】
【発明が解決しようとする課題】
ところで上記した断熱扉４は、図８に示すように、ヒンジ機構の回動軸５を中心に回動して開閉されるのであるが、従来では扉４の裏面における回動軸５側の角の部分４Ａが、ほぼ直角形状に形成されていたため、以下のような不具合があった。
まず、図８（Ａ）に示すように、扉４を閉めた際、扉４の裏面の角部４Ａと、出入口３の口縁における角部４Ａと対向した部分３Ａとの間隔ｘが狭い（１２ｍｍ程度）ため、指先が奥まで入り辛くて、上記の対向部分３Ａが掃除し難かった。そのため、扉４を開いて内側から掃除することになるが、開扉に伴って庫内温度も上昇するため、再度適正な冷却温度まで下げるために、消費電力が余分に掛かる不具合があった。
また、上記の掃除のために扉４を開けた場合、開放の途中で、同図（Ｂ）のように、扉４の角部４Ａと出入口３の口縁の対向部分３Ａとの間隔ｙがさらに狭くなり（最大８ｍｍ程度）、指を挟むおそれもあった。
【０００５】
さらに、閉扉状態における扉４の回動軸５側の外気の流れは、同図（Ａ）の矢線方向（またはその反対方向）のように、扉４の側面と、出入口３の口縁のうちの外側の部分に沿うような流れとなり、上記した対向部分３Ａには外気が当たり難い。そのため、この対向部分３Ａは庫内冷気の影響を受けて冷却されやすく、表面に結露が生じやすいという問題があった。その結果、結露水が床面に垂れるため、頻繁に拭き掃除をしなければならず、面倒であった。
本発明は上記のような事情に基づいて完成されたものである。
【０００６】
【課題を解決するための手段】
請求項１の発明は、貯蔵庫本体に開口された出入口の一側縁には、この出入口を開閉する扉が回動可能に支持された貯蔵庫において、前記扉の裏面における前記回動軸側の角の部分には、逃がし面が切り欠き形成されている構成としたところに特徴を有する。
請求項２の発明は、請求項１に記載のものにおいて、前記貯蔵庫本体の内部が冷凍装置により冷却可能となっているところに特徴を有する。
【０００７】
請求項３の発明は、請求項１または請求項２に記載のものにおいて、前記扉の逃がし面と前記出入口の口縁との間に形成された隙間には、進入規制部材が配されているところに特徴を有する。
請求項４の発明は、請求項３に記載のものにおいて、前記進入規制部材が着脱可能となっているところに特徴を有する。
請求項５の発明は、請求項３または請求項４に記載のものにおいて、前記扉は、前記出入口の前記一側縁の長さ方向の両端に設けられたヒンジにより回動可能に支持されており、前記進入規制部材は、前記両ヒンジの間に渡されて設けられているところに特徴を有する。
【０００８】
【発明の作用及び効果】
＜請求項１の発明＞
扉の角の部分に逃がし面を設けたことで、閉扉状態において出入口の口縁との間の間口が広げられた状態となり、口縁の奥まで指先等が入れやすくなる。そのため、閉扉状態でも掃除が良好にできて、清潔に保つことができる。また、開扉途中で指等を挟むことも回避される。
＜請求項２の発明＞
掃除のために開扉する必要がなくなり、冷却貯蔵庫の場合には開扉に伴う庫内温度の上昇が避けられて、冷凍装置を駆動して余分に再冷却することが不要であり、節電を図ることができる。
また冷却貯蔵庫の場合、逃げ面に沿うようにして外気を出入口の口縁の奥にまで流通させることができ、庫内冷気で冷却されやすい出入口の口縁の奥の部分を温度上昇させて結露の発生を未然に防止することができる。
【０００９】
＜請求項３の発明＞
進入規制部材を配したことで、逃がし面と出入口の口縁との間の隙間に指等が入れられた場合、進入規制部材で遮られて奥まで入ることが規制される。
また冷却貯蔵庫の場合、出入口の口縁の奥の部分を外気との熱交換で温度上昇させて、結露の発生を未然に防止することについては併せて機能し得る。
＜請求項４の発明＞
掃除をする際には進入規制部材を外せば、閉扉状態において出入口の口縁との間の間口が広げられた状態にでき、口縁の奥まで掃除がしやすくなる。
＜請求項５の発明＞
進入規制部材を配するのに、扉を支持した既存のヒンジを利用したから、新たな取付用部材が不要で製造コストの増加を抑えることができる。また、進入規制部材が両ヒンジを連結した状態となって、扉から負荷に対してヒンジの補強を図ることができる。
【００１０】
【発明の実施の形態】
以下、本発明の実施形態を添付図面に基づいて説明する。
＜第１実施形態＞
本発明の第１実施形態を図１ないし図３によって説明する。
この実施形態では、学校の給食等に供される牛乳を一時保管することに用いる冷蔵庫を例示している。
この冷蔵庫は横型冷蔵庫と称されるもので、図１に示すように、前面に開口した横長の断熱箱体からなる冷蔵庫本体１０を有し、底面に設けた脚１１で支持されている。本体１０の内部は冷蔵室１２（図３参照）となって容器入り牛乳が収容可能とされており、前面の開口部は仕切枠で仕切られて左右２つの出入口１４が形成され、両出入口１４には一対の断熱扉１５が観音開き式に装着されている。
【００１１】
扉１５の支持構造については、図２に示すように、各出入口１４の外側の側縁にそれぞれ上下一対のヒンジプレート１７が取り付けられ、上側のヒンジプレート１７からはヒンジピン１８が下向きに、下側のヒンジプレート１７からはヒンジピン１８が上向きに同一の縦軸上に立てられている。一方、扉１５の回動軸側の上下両端面には軸受孔１９が開口され、上下の軸受孔１９に対応するヒンジピン１８が嵌合されることにより、扉１５は自由端側に設けられたハンドル２０に手を掛けつつ、ヒンジピン１８を中心として回動し、開閉されるようになっている。扉１５の裏面の周縁部には、出入口１４の口縁１４Ａに当接してシールするパッキン２１が装着されている。
【００１２】
冷蔵庫本体１０の側方には機械室２３が設けられ、その内部に冷凍装置等が収容されており、冷却器で生成された冷気が冷蔵室１２内に循環供給されることで、冷蔵室１２内が冷却されるようになっている。ただし、学校給食に供される牛乳を一時保管するという目的から、ウィークリタイマの作用によって、平日（月曜日から金曜日）の７時から１３時までは３℃で冷蔵運転を行い、平日の１３時から翌朝の７時までと、土、日曜日の終日は、節電と、かびの発生防止を目的として、１５℃で保冷運転を行うようになっている。
【００１３】
さてこの実施形態では、図３に詳細に示すように、扉１５の裏面におけるヒンジピン１８（回動軸）側の角の部分に、Ｃ面からなる逃がし面２５が形成されている。この逃がし面２５の大きさは、主に扉１５のヒンジピン１８の位置によって定められ、例えば図３（Ａ）に示すように、扉１５の側面からヒンジピン１８の中心までの寸法ａが１０ｍｍであると、両辺の寸法ｂが１０ｍｍのＣ面が形成される。これにより、同図（Ｂ）に示すように、開扉時における逃がし面２５と出入口１４の口縁１４Ａとの間の寸法ｄは、同図（Ａ）に示すところの、閉扉時における扉１５の裏面と出入口１４の口縁１４Ａとの間の寸法ｃ（例えば１２ｍｍ）以上とすることができる。
【００１４】
本実施形態の作用及び効果は以下のようである。
扉１５の裏面の角の部分に逃がし面２５を設けたことにより、図３（Ａ）に示すように、閉扉状態において出入口１４の口縁１４Ａとの間の間口が広げられた状態となり、口縁１４Ａの奥まで指先等が入れやすくなる。そのため、閉扉状態でも掃除が良好にできて清潔に保つことができる。
これに伴い、掃除のために開扉する必要がなくなり、開扉に伴う庫内温度の上昇が避けられて、冷凍装置を駆動して余分に再冷却することが不要であり、節電に寄与し得る。
【００１５】
また、扉１５の開閉操作中も、逃がし面２５と出入口１４の口縁１４Ａとの間の寸法ｄが１２ｍｍ以上に確保されるから、誤って指を入れても挟まれるおそれがない。なお、逃がし面２５が小さ過ぎると、扉１５の開閉中に、逃がし面２５の端部と出入口１４の口縁１４Ａとの間隔ｄが、１２ｍｍよりも小さくなって指が挟まれるおそれがあり、逆に逃がし面２５が大き過ぎると、開扉時における逃がし面２５と出入口１４の口縁１４Ａとの間隔ｄが大きくなって指をかなり奥まで入れてしまい、閉扉時に指を挟むおそれがある。そのため、本実施形態の場合は、逃がし面２５を構成するＣ面の大きさは、両辺の寸法ｂが１０ｍｍ程度であることが望ましい。
【００１６】
さらに、閉扉状態における扉１５のヒンジピン１８側では、図３（Ａ）の矢線方向（または反対方向）のように、逃がし面２５に沿うようにして外気が出入口１４の口縁１４Ａの奥にまで流通する。この口縁１４Ａの奥の部分は、庫内冷気の影響を受けて冷却されやすいのであるが、外気が当たって熱交換されることで温度上昇が図られ、表面に結露が生じることが防止される。したがって、表面の結露水や床面に滴下した結露水を拭く面倒な作業が不要にできる。また、出入口１４の口縁１４Ａの裏側に配する結露防止ヒータ（図示せず）の容量を落とすことが可能となり、その分消費電力の節約を果たすことができる。
【００１７】
＜第２実施形態＞
次に、第２実施形態を図４ないし図６によって説明する。
この第２実施形態では、上記第１実施形態と同様に、扉１５の裏面におけるヒンジピン１８（回動軸）側の角の部分に、Ｃ面からなる逃がし面２５が形成されている。それに加え、図６に示すように、逃がし面２５と出入口１４の口縁１４Ａとの間にできる隙間Ｓ内に縦向きのパイプ３０が配され、上下のヒンジプレート１７にわたって着脱可能に取り付けられている。
【００１８】
このパイプ３０は例えばステンレス鋼管製であって直径が８ｍｍ程度の円形管であり、図５に示すように、下端にナット３１が溶接等で固定されている。一方、上側のヒンジプレート１７におけるヒンジピン１８の設けられた位置から少し外側でかつ本体１０側に寄った位置には、パイプ３０の上端を挿通可能な挿通孔３３が開口されているとともに、下側のヒンジプレート１７には、ナット３１の口縁が当てられる一回り小さいねじの挿通孔３４が、上側の挿通孔３３と同一縦軸上に開口されている。
【００１９】
したがってパイプ３０は、その上端が上側のヒンジプレート１７の挿通孔３３に下側から挿通され、さらに本体１０の天板１０Ａ内に挿通されたのち（図４参照）、下端のナット３１が下側のヒンジプレート１７の挿通孔３４の口縁に当てられ、この挿通孔３４に下側から通した皿ねじ３５をナット３１に螺合して締め付けることにより固定され、これに伴いパイプ３０が、図６に示すように、逃がし面２５と出入口１４の口縁１４Ａとの間にできる隙間Ｓ内に、回りに若干のクリアランスを残した状態で配される。
一方パイプ３０を外す場合は、皿ねじ３５を緩めて外し、パイプ３０を若干持ち上げたのち、斜め姿勢にしつつ上端を挿通孔３３から抜くように引き下げることで外すことができる。
【００２０】
第２実施形態の作用及び効果は以下のようである。
パイプ３０が配されていることで、図６（Ａ）の閉扉時または同図（Ｂ）の開扉時において、逃がし面２５と出入口１４の口縁１４Ａとの間の隙間Ｓに指等が入れられた場合にも、パイプ３０で遮られて奥まで入ることが規制される。そのため、扉１５の開閉時に指を挟むことが確実に防止される。
パイプ３０は、扉１５を支持した既存のヒンジプレート１７を利用して取り付けるようにしたから、新たな取付用部材が不要で製造コストの増加を小さく抑えることができる。
一方、扉１５に逃がし面２５が設けられていることで、図６（Ａ）の矢線方向（またはその反対方向）のように、外気を出入口１４の口縁１４Ａの奥にまで流通させる機能は同様に果たす。その結果、口縁１４Ａの奥の部分を外気との熱交換で温度上昇させ、結露の発生を未然に防止することができる。
【００２１】
掃除を行う場合は、パイプ３０を既述した要領で外す。そうすると、扉１５の裏面の角の部分に逃がし面２５が設けられていることで、第１実施形態の図３（Ａ）に示すように、閉扉状態において出入口１４の口縁１４Ａとの間の間口が広げられた状態となり、口縁１４Ａの奥まで指先等が入れやすくなって、閉扉状態でも掃除を良好に行うことができる。
なおパイプ３０は、上下２箇所で支持されているだけで途中は固定されていないから、逃がし面２５の空間を利用して前後左右に多少は揺れ動くことができ、そのためパイプ３０を装着したままでも、奥までは難しいが出入口１４の口縁１４Ａの簡単な掃除であれば行うことができる。
また、パイプ３０の上端側も上側のヒンジプレート１７に着脱可能に固定できるようにすると、上下のヒンジプレート１７がパイプ３０で連結された状態となって、扉１５からの負荷に対してヒンジプレート１７の補強を図ることが可能となる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）逃がし面はＣ面に限らず、円弧形面等、要はほぼ斜めに切り欠かれた面であればよい。
（２）また逃がし面の寸法は、扉の回動軸の位置や、閉扉状態における扉の裏面と出入口の口縁との間の寸法等を勘案して、適当なものを設定すればよく、基本的には、開扉時における逃がし面と出入口の口縁との間の寸法が、閉扉時における扉の裏面と出入口の口縁との間の寸法と同程度に維持されることが好ましい。
【００２３】
（３）進入規制部材としてパイプに変えて中実の棒材を用いてもよく、断面は円形か、それに近い多角形とすることが好ましい。また大きさは、外気の流通は許容しつつ指の進入は規制できる程度がよい。
（４）本発明は横型冷蔵庫に限らず、庫内が冷凍装置により冷却可能とされる冷却貯蔵庫全般に広く適用できる。
（５）さらに本発明は冷却貯蔵庫に限らず、扉を回動可能に装着した貯蔵庫全般に適用可能であり、少なくとも出入口の口縁の掃除がしやすくなったり、指を挟むことを防止できることについては、その効果が得られる。
【図面の簡単な説明】
【図１】本発明の第１実施形態に係る冷蔵庫の外観斜視図
【図２】その部分側面図
【図３】扉の回動軸側付近の構造を示す一部切欠部分平面図
【図４】第２実施形態に係る部分側面図
【図５】パイプの取付構造を示す斜視図
【図６】扉の回動軸側付近の構造を示す一部切欠部分平面図
【図７】従来例の冷蔵庫の正面図
【図８】その扉の回動軸側付近の構造を示す一部切欠部分平面図
【符号の説明】
１０…冷蔵庫本体（貯蔵庫本体）  １２…冷蔵室  １４…出入口  １４Ａ…（出入口１４の）口縁  １５…扉  １７…ヒンジプレート（ヒンジ）  １８…ヒンジピン（回動軸）  ２５…逃がし面  ３０…パイプ（進入規制部材）  ３１…ナット  ３３，３４…挿通孔  ３５…皿ねじ  Ｓ…隙間
【図１】
2004309035.tif 000003
【図２】
2004309035.tif 000004
【図３】
2004309035.tif 000005
【図４】
2004309035.tif 000006
【図５】
2004309035.tif 000007
【図６】
2004309035.tif 000008
【図７】
2004309035.tif 000009
【図８】
2004309035.tif 000010